(57)【要約】【課題】本発明は、集合基板と実装した各種の複数の電子部品との間の隙間に絶縁性樹脂を充填し、集合基板の一方の面、又は両方の面に、厚みが均一な封止樹脂層を形成する電子部品モジュールの製造方法を提供する。【解決手段】本発明に係る電子部品モジュールの製造方法は、複数の電子部品１２、１３により複数の電子部品モジュールが形成される集合基板１１０の、電子部品１２、１３を実装した面にシート状の絶縁性樹脂１５０を載置する第１工程と、絶縁性樹脂１５０を所定の温度まで加熱して流動化するとともに集合基板１１０を均等に加圧し、流動化した絶縁性樹脂１５０が硬化するまで加熱を続けることで複数の電子部品１２、１３を実装した集合基板１１０の面を絶縁性樹脂１５０にて封止して封止樹脂層１５を形成する第２工程とを含む。【選択図】図２
2012033885.tif 000002
【特許請求の範囲】
【請求項１】
複数の電子部品により複数の電子部品モジュールが形成される集合基板の、複数の前記電子部品を実装した面にシート状の絶縁性樹脂を載置する第１工程と、
前記絶縁性樹脂を所定の温度まで加熱して流動化するとともに前記集合基板を均等に加圧し、流動化した前記絶縁性樹脂が硬化するまで加熱を続けることで複数の前記電子部品を実装した前記集合基板の面を前記絶縁性樹脂にて封止して封止樹脂層を形成する第２工程と
を含むことを特徴とする電子部品モジュールの製造方法。
【請求項２】
前記第１工程では、前記集合基板の両面に複数の前記電子部品を実装し、前記集合基板の両面にシート状の前記絶縁性樹脂を載置し、
前記第２工程では、複数の前記電子部品を実装した前記集合基板の両面を前記絶縁性樹脂にて封止し、前記集合基板の両面に封止樹脂層を形成することを特徴とする請求項１に記載の電子部品モジュールの製造方法。
【請求項３】
前記第２工程では、前記集合基板を気体遮断性を有する袋に入れて減圧して密封した後、前記袋の外部を大気開放状態にすることにより加圧することを特徴とする請求項１又は２に記載の電子部品モジュールの製造方法。
【請求項４】
流動化した前記絶縁性樹脂の動的粘性率は、２００Ｐａ・ｓ以下であることを特徴とする請求項１乃至３のいずれか一項に記載の電子部品モジュールの製造方法。
【発明の詳細な説明】
【技術分野】
【０００１】
本発明は、電子部品モジュールの製造方法に関し、特に、複数の電子部品を実装した集合基板の面を絶縁性樹脂にて封止して封止樹脂層を形成する電子部品モジュールの製造方法に関する。
【背景技術】
【０００２】
従来、電子部品モジュールを製造する場合、各種の電子部品を実装した集合基板の一方の面、又は両方の面に絶縁性樹脂を塗布して封止樹脂層を形成する。また、特許文献１に開示してある電子部品モジュールを製造する場合、まず、成形用プレートの上に成形用枠体を配置して、成形用プレートと成形用枠体との間の隙間を覆うように成形用枠体の内側にフィルムを敷設する。さらに、成形用枠体の内側に敷設したフィルム上に、半硬化状態の絶縁性樹脂（フィラー充填樹脂）、及び各種の電子部品を実装した集合基板を配置し、フィルム上に配置した絶縁性樹脂、及び各種の電子部品を実装した集合基板を加熱加圧して硬化させて封止樹脂層を形成する。
【先行技術文献】
【特許文献】
【０００３】
【特許文献１】特開２００５−３１１２０１号公報
【発明の概要】
【発明が解決しようとする課題】
【０００４】
図４は、従来の電子部品モジュールの製造方法を説明するための断面図である。図４（ａ）は複数の回路基板からなる集合基板２１０の両面に電子部品２１２、２１３を実装した状態を、図４（ｂ）は両面にシート状の絶縁性樹脂２２０を載置した集合基板２１０を加圧しつつ絶縁性樹脂２２０を加熱した状態を、図４（ｃ）は集合基板２１０の両面を絶縁性樹脂２２０にて封止して封止樹脂層２２１を形成した状態を、それぞれ示している。集合基板２１０の両面に形成してある図示しない配線パターンと、半導体素子、コンデンサ、抵抗、ＳＡＷフィルタ等の各種の複数の電子部品２１２、２１３の端子とを、ボンディングワイヤ、ハンダ等により接続することで、図４（ａ）に示すように、集合基板２１０の両面に電子部品２１２、２１３を実装する。各種の複数の電子部品２１２、２１３を実装した集合基板２１０には、反り、うねり等が発生している。なお、セラミック基板を集合基板２１０に用いた場合、各種の複数の電子部品２１２、２１３を実装する前の状態でも、集合基板２１０に反り、うねり等が発生する。
【０００５】
図４（ｂ）に示すように、両面にシート状の絶縁性樹脂２２０を載置した集合基板２１０を成形用プレート２３０で加圧しつつ絶縁性樹脂２２０を加熱する。絶縁性樹脂２２０は、加熱することで半硬化状態から流動化させ、集合基板１１０と実装した電子部品２１２、２１３との間の隙間に充填した後、硬化状態へと変化する。図４（ｃ）に示すように、絶縁性樹脂２２０が硬化状態へと変化することで、集合基板２１０の両面を絶縁性樹脂２２０にて封止して封止樹脂層２２１を形成することができる。
【０００６】
しかし、集合基板２１０には、反り、うねり等が発生しているので、各種の複数の電子部品２１２、２１３を実装した集合基板２１０の同じ面における封止樹脂層２２１の厚みにバラツキが生じ、封止樹脂層２２１の厚みが均一にならないという問題があった。具体的には、図４（ｃ）に示すように集合基板２１０の一方の面に形成した封止樹脂層２２１の厚みＸと、厚みＹとが異なる。
【０００７】
また、集合基板の一方の面、又は両方の面に載置する半硬化状態の絶縁性樹脂に、加熱しても流動化し難い材料を用いた場合、電子部品を実装した集合基板の同じ面における封止樹脂層の厚みにバラツキが生じることを抑えることはできるが、集合基板と実装した各種の複数の電子部品との間の隙間に絶縁性樹脂を充填することが難しいという問題があった。
【０００８】
本発明は斯かる事情に鑑みてなされたものであり、集合基板と実装した各種の複数の電子部品との間の隙間に絶縁性樹脂を充填し、集合基板の一方の面、又は両方の面に、厚みが均一な封止樹脂層を形成する電子部品モジュールの製造方法を提供することを目的とする。
【課題を解決するための手段】
【０００９】
上記目的を達成するために第１発明に係る電子部品モジュールの製造方法は、複数の電子部品により複数の電子部品モジュールが形成される集合基板の、複数の前記電子部品を実装した面にシート状の絶縁性樹脂を載置する第１工程と、前記絶縁性樹脂を所定の温度まで加熱して流動化するとともに前記集合基板を均等に加圧し、流動化した前記絶縁性樹脂が硬化するまで加熱を続けることで複数の前記電子部品を実装した前記集合基板の面を前記絶縁性樹脂にて封止して封止樹脂層を形成する第２工程とを含む。
【００１０】
第１発明では、複数の電子部品により複数の電子部品モジュールが形成される集合基板の、複数の電子部品を実装した面にシート状の絶縁性樹脂を載置し、載置した絶縁性樹脂を所定の温度まで加熱して流動化するので、集合基板と実装した各種の複数の電子部品との間の隙間に絶縁性樹脂を充填することができる。また、絶縁性樹脂を加熱して流動化するとともに集合基板を均等に加圧し、流動化した絶縁性樹脂が硬化するまで加熱を続けることで複数の電子部品を実装した集合基板の面を絶縁性樹脂にて封止して封止樹脂層を形成するので、集合基板の同じ面における封止樹脂層の厚みを均一にすることができる。集合基板の各面における封止樹脂層の厚みを均一にすることで、集合基板と封止樹脂層を覆う金属導体層とを繋ぐ複数の導電性ポストを形成した場合に、集合基板の同じ面に形成した複数の導電性ポストの長さが略同一となり、電子部品モジュールの配線経路の長さを均一にすることができる。
【００１１】
また、第２発明に係る電子部品モジュールの製造方法は、第１発明において、前記第１工程では、前記集合基板の両面に複数の前記電子部品を実装し、前記集合基板の両面にシート状の前記絶縁性樹脂を載置し、前記第２工程では、複数の前記電子部品を実装した前記集合基板の両面を前記絶縁性樹脂にて封止し、前記集合基板の両面に封止樹脂層を形成する。
【００１２】
第２発明では、第１工程では、集合基板の両面に複数の電子部品を実装し、集合基板の両面にシート状の絶縁性樹脂を載置し、第２工程では、集合基板の両面を絶縁性樹脂にて封止し、集合基板の両面に封止樹脂層を形成するので、集合基板の両面を絶縁性樹脂で一括して封止することができ、集合基板を一面ずつ絶縁性樹脂にて封止する場合に比べて製造工程を短縮でき、製造コストを安価にすることができる。
【００１３】
また、第３発明に係る電子部品モジュールの製造方法は、第１又は第２発明において、前記第２工程では、前記集合基板を気体遮断性を有する袋に入れて減圧して密封した後、前記袋の外部を大気開放状態にすることにより加圧する。
【００１４】
第３発明では、第２工程では、集合基板を気体遮断性を有する袋に入れて減圧して密封した後、袋の外部を大気開放状態にすることにより加圧することで、流動化した絶縁性樹脂を集合基板とともに均等に加圧することができ、集合基板の同じ面における封止樹脂層の厚みを均一にすることができる。
【００１５】
また、第４発明に係る電子部品モジュールの製造方法は、第１乃至第３発明のいずれか一つにおいて、流動化した前記絶縁性樹脂の動的粘性率は、２００Ｐａ・ｓ以下である。
【００１６】
第４発明では、流動化した絶縁性樹脂の動的粘性率は、２００Ｐａ・ｓ以下であるので、集合基板と実装した各種の複数の電子部品との間の隙間に絶縁性樹脂を確実に充填することができる。
【発明の効果】
【００１７】
上記構成によれば、本発明は、複数の電子部品により複数の電子部品モジュールが形成される集合基板の、複数の電子部品を実装した面にシート状の絶縁性樹脂を載置し、載置した絶縁性樹脂を所定の温度まで加熱して流動化するので、集合基板と実装した各種の複数の電子部品との間の隙間に絶縁性樹脂を充填することができる。また、絶縁性樹脂を加熱して流動化するとともに集合基板を均等に加圧し、流動化した絶縁性樹脂が硬化するまで加熱を続けることで複数の電子部品を実装した集合基板の面を絶縁性樹脂にて封止して封止樹脂層を形成するので、集合基板の同じ面における封止樹脂層の厚みを均一にすることができる。集合基板の同じ面における封止樹脂層の厚みを均一にすることで、集合基板と封止樹脂層を覆う金属導体層とを繋ぐ複数の導電性ポストを形成した場合に、集合基板の同じ面に形成した複数の導電性ポストの長さが略同一となり、電子部品モジュールの配線経路の長さを均一にすることができる。
【図面の簡単な説明】
【００１８】
【図１】本発明の実施の形態に係る電子部品モジュールの構成を示す断面図である。
【図２】本発明の実施の形態に係る電子部品モジュールの製造方法を説明するための断面図である。
【図３】絶縁性樹脂の動的粘性率と絶縁性樹脂の充填率との関係を示したグラフである。
【図４】従来の電子部品モジュールの製造方法を説明するための断面図である。
【発明を実施するための形態】
【００１９】
以下、本発明の実施の形態について、図面を参照しながら詳細に説明する。
【００２０】
図１は、本発明の実施の形態に係る電子部品モジュールの構成を示す断面図である。本発明の実施の形態に係る電子部品モジュール１は、一例として１０．０ｍｍ×１０．０ｍｍ×１．２ｍｍの直方体形状をしており、セラミック、ガラス、エポキシ樹脂等からなる回路基板１１と、回路基板１１の両面に実装されている半導体素子、コンデンサ、抵抗、ＳＡＷフィルタ等の各種の複数の電子部品１２、１３と、回路基板１１の両面に形成された導電性ポスト１４と、回路基板１１の両面に形成された電子部品１２、１３及び導電性ポスト１４を覆う封止樹脂層１５と、封止樹脂層１５を覆う金属導体層１６と、金属導体層１６の表面に形成され、導電性ポスト１４と電気的に接続したパッド電極１７とを備えている。なお、電子部品モジュール１は、複数の回路基板１１からなる集合基板を分断して製造される。
【００２１】
回路基板１１は、例えば電子部品１２、１３を実装する面が長方形である厚み略０．５ｍｍの低温焼結セラミック基板である。回路基板１１の両面には、電子部品１２、１３との接続パッド（電極パッド）を兼ねた配線パターン（図示せず）が形成してあり、該配線パターンと、半導体素子、コンデンサ、抵抗、ＳＡＷフィルタ等の各種の複数の電子部品１２、１３の端子とを、ボンディングワイヤ、ハンダ等により接続する。また、導電性ポスト１４は、ビアホール加工やスルーホール加工等で封止樹脂層１５の厚み方向に形成した穴に導電性材料を充填、又は金属ナノ粒子を含むインクの吐出及び焼成を繰り返して、回路基板１１の配線パターン上に形成される。封止樹脂層１５は、電子部品１２、１３を実装した回路基板１１の両面を、回路基板１１の両面に載置したシート状の絶縁性樹脂（例えば、エポキシ樹脂等の熱硬化性樹脂）にて、封止して形成される。金属導体層１６は、印刷、転写、箔加工、メッキ、スパッタ法、蒸着法、金属ナノ粒子を含むインクを用いたインクジェット法などにより形成され、例えばＣｕ箔である。回路基板１１と金属導体層１６とは、導電性ポスト１４で電気的に接続されている。図１に示す電子部品モジュール１では、回路基板１１の材料として低温焼結セラミック基板を、封止樹脂層１５の材料としてエポキシ樹脂を、金属導体層１６の材料としてＣｕ箔を、それぞれ用いているが、特にこれらに限定されるものではなく、他の材料を用いても良い。
【００２２】
図２は、本発明の実施の形態に係る電子部品モジュール１の製造方法を説明するための断面図である。図２（ａ）は複数の回路基板１１からなる集合基板１１０の両面に電子部品１２、１３を実装した状態を、図２（ｂ）は集合基板１１０の両面にシート状の絶縁性樹脂１５０を載置した状態を、図２（ｃ）は気体遮断性を有する袋２０に集合基板１１０を入れて減圧して密封した状態を、図２（ｄ）は集合基板１１０に外圧を加えつつ絶縁性樹脂１５０を加熱した状態を、図２（ｅ）は袋２０から取り出した集合基板１１０の状態を、それぞれ示している。なお、図２では、集合基板１１０に発生している反り、うねり等を明示するために強調して図示している。
【００２３】
まず、集合基板１１０の両面に形成してある図示しない配線パターンと、半導体素子、コンデンサ、抵抗、ＳＡＷフィルタ等の各種の複数の電子部品１２、１３の端子とを、ボンディングワイヤ、ハンダ等により接続することで、図２（ａ）に示すように、集合基板１１０の両面に電子部品１２、１３を実装する。各種の複数の電子部品１２、１３を実装した集合基板１１０には、反り、うねり等が発生している。なお、セラミック基板を集合基板１１０に用いた場合、各種の複数の電子部品１２、１３を実装する前の状態でも、集合基板１１０に反り、うねり等が発生する。
【００２４】
次に、図２（ｂ）に示すように、各種の複数の電子部品１２、１３が実装された集合基板１１０の両面にシート状の絶縁性樹脂１５０（例えば、エポキシ樹脂等の熱硬化性樹脂）を載置する。絶縁性樹脂１５０は、シート状であるため取り扱いが容易で、集合基板１１０の両面に載置しやすい。また、絶縁性樹脂１５０は、半硬化状態（Ｂステージ）であり、所定の温度まで加熱するとシート状を維持できずに流動化する。絶縁性樹脂１５０がシート状を維持できずに流動化する所定の温度は、例えば６０〜１２０℃である。また、流動化した絶縁性樹脂１５０の動的粘性率は、２００Ｐａ・ｓ以下である。なお、シート状の絶縁性樹脂１５０は、図２（ｂ）に示すように厚みが均一な場合に限定されるものではなく、集合基板１１０に実装した電子部品１２、１３の形状に合わせて凹凸を有していても良い。
【００２５】
絶縁性樹脂１５０の動的粘性率は、ＴＡ  Ｉｎｓｔｒｕｍｅｎｔｓ社製ＡＲ５５０を用いて、ツールサイズφ８ｍｍ、ギャップ４５０μｍ、周波数１Ｈｚ、歪み０．２〜０．５％で測定する。図３は、絶縁性樹脂１５０の動的粘性率と絶縁性樹脂１５０の充填率との関係を示したグラフである。図３では、横軸を絶縁性樹脂１５０の動的粘性率（Ｐａ・ｓ）、縦軸を絶縁性樹脂１５０の充填率（集合基板１１０と実装した各種の複数の電子部品１２、１３との間の隙間に充填される絶縁性樹脂１５０の割合）（％）としている。絶縁性樹脂１５０の充填率を略１００％にするには、絶縁性樹脂１５０の動的粘性率を２００Ｐａ・ｓ以下にしなければならないことが分かる。ここで、絶縁性樹脂１５０の充填率の評価は、後述する図２（ｅ）に示すように集合基板１１０に封止樹脂層１５を形成した状態で行っている。具体的には、集合基板１１０と、大きさが５ｍｍ×５ｍｍの電子部品１２、１３（例えば、ＩＣチップ）との間の隙間（１００μｍ）に充填される絶縁性樹脂１５０の充填率を評価している。
【００２６】
絶縁性樹脂１５０は、フィラーを含有していても良い。さらに、本発明の実施の形態に係るシート状の絶縁性樹脂１５０のシートサイズは特に限定されるものではなく、少なくとも集合基板１１０の全体を覆うサイズであれば良い。なお、絶縁性樹脂１５０の厚み精度は、従来の製造方法を考慮すると、製造する絶縁性樹脂１５０の厚みに対して略±２０μｍの範囲内であることが望ましい。
【００２７】
次に、図２（ｃ）に示すように、気体遮断性を有する袋２０にシート状の絶縁性樹脂１５０が載置された集合基板１１０を入れ、減圧パック装置２１を用いて、袋２０内を減圧する。減圧した袋２０の端を加熱シール装置２２で閉じることで、集合基板１１０を袋２０内に密封する。また減圧パック装置２１は、例えば気体遮断性を有する袋２０内を減圧して密封（減圧パック）することができれば良く、装置の構成は特に限定されない。気体遮断性を有する袋２０には、例えば、柔軟性とガスバリア性を有し、内層にシーラント層を備えるラミネートパックを用いる。袋２０内の真空度は、例えば５００Ｐａ（４Ｔｏｒｒ）程度である。なお、袋２０内の真空度が高いと、減圧に時間がかかるため、５０〜５００Ｐａ（０．４〜４Ｔｏｒｒ）程度が望ましい。なお、減圧パック装置２１で袋２０内を減圧中に、後述する図２（ｄ）に示すように集合基板１１０に載置した絶縁性樹脂１５０をオーブン２３で加熱しても良い。
【００２８】
次に、図２（ｄ）に示すように袋２０の外部を大気開放状態にすることで、集合基板１１０に載置した絶縁性樹脂１５０には、気体遮断性を有する袋２０内に密封（減圧パック）された集合基板１１０の形状に沿って均等に外圧（減圧した袋２０内の圧力と大気圧の差）がかかり、集合基板１１０を均等に加圧することになる。つまり、集合基板１１０に反り、うねり等が発生している場合でも、集合基板１１０に発生している反り、うねり等に沿って集合基板１１０が均等に加圧される。集合基板１１０に載置した絶縁性樹脂１５０を、オーブン２３で所定の温度まで加熱することで、載置した絶縁性樹脂１５０がシート状を維持できずに流動化する。絶縁性樹脂１５０が流動化することで、集合基板１１０と実装した複数の電子部品１２、１３との間の隙間に充填される絶縁性樹脂１５０の割合である充填率が向上し、集合基板１１０に発生している反り、うねり等に沿って絶縁性樹脂１５０が変形するので、電子部品１２、１３を実装した集合基板１１０の両面を絶縁性樹脂１５０にて封止して形成された、集合基板１１０の同じ面における封止樹脂層１５の厚みが均一となる。なお、図２（ｄ）に示す工程では、図２（ｃ）に示す工程よりも高い温度（例えば１６０℃）で絶縁性樹脂１５０を加熱する。
【００２９】
さらに、絶縁性樹脂１５０を加熱して流動化するとともに集合基板１１０を均等に加圧し、流動化した絶縁性樹脂１５０が硬化するまでオーブン２３等で例えば１６０℃で加熱を続ける。絶縁性樹脂１５０が硬化することで、複数の電子部品１２、１３を実装した集合基板１１０の面を絶縁性樹脂１５０にて封止して封止樹脂層１５を形成する。絶縁性樹脂１５０を硬化させる際に、加圧オーブンを用いることで、絶縁性樹脂１５０の充填率のさらなる向上が期待できる。
【００３０】
次に、図２（ｅ）に示すように封止樹脂層１５を形成した集合基板１１０を袋２０から取り出す。袋２０から取り出した集合基板１１０は、集合基板１１０に発生している反り、うねり等に沿って封止樹脂層１５が形成されており、集合基板１１０の同じ面における封止樹脂層１５の厚みが均一となっている。具体的には、集合基板１１０の一方の面に形成した封止樹脂層１５の厚みＡと、封止樹脂層１５の厚みＢとが略同じとなり、集合基板１１０の他方の面に形成した封止樹脂層１５の厚みＣと、封止樹脂層１５の厚みＤとが略同じとなる。さらに、封止樹脂層１５を形成した集合基板１１０に、導電性ポスト１４、金属導体層１６を形成し、ダイサー等を用いて所定の位置で集合基板１１０を切断して個片化することで、図１に示す電子部品モジュール１が製造される。
【００３１】
減圧パックにより形成された封止樹脂層１５の場合、集合基板１１０の同じ面における封止樹脂層１５の厚みのバラツキを、変動係数（σ（標準偏差）／Ｘ（平均値））で表すと、集合基板１１０の一方の面における変動係数が１．３％、集合基板１１０の他方の面における変動係数が１．２％となる。一方、従来のプレス成形で形成された封止樹脂層の場合、集合基板の同じ面における封止樹脂層の厚みのバラツキは、集合基板の一方の面における変動係数が１８．５％、集合基板の他方の面における変動係数が２１．６％となる。本発明の実施の形態に係る電子部品モジュール１の製造方法では、集合基板１１０の同じ面における封止樹脂層１５の厚みのバラツキが、大幅に改善されていることが分かる。
【００３２】
以上のように本発明の実施の形態によれば、複数の電子部品１２、１３により複数の電子部品モジュール１が形成される集合基板１１０の、複数の電子部品１２、１３を実装した面にシート状の絶縁性樹脂１５０を載置し、載置した絶縁性樹脂１５０を所定の温度まで加熱して流動化するので、集合基板１１０と実装した各種の複数の電子部品１２、１３との間の隙間に絶縁性樹脂１５０を充填することができる。また、絶縁性樹脂１５０を加熱して流動化するとともに集合基板１１０を均等に加圧し、流動化した絶縁性樹脂１５０が硬化するまで加熱を続けることで複数の電子部品１２、１３を実装した集合基板１１０の面を絶縁性樹脂１５０にて封止して封止樹脂層１５を形成するので、集合基板１１０の同じ面における封止樹脂層１５の厚みを均一にすることができる。集合基板１１０の同じ面における封止樹脂層１５の厚みを均一にすることで、集合基板１１０（回路基板１１）と封止樹脂層１５を覆う金属導体層１６とを繋ぐ複数の導電性ポスト１４を形成した場合に、集合基板１１０（回路基板１１）の同じ面に形成した複数の導電性ポスト１４の長さが略同一となり、電子部品モジュール１の配線経路の長さを均一にすることができる。
【００３３】
なお、本発明の実施の形態に係る電子部品モジュール１の製造方法では、気体遮断性を有する袋２０にシート状の絶縁性樹脂１５０が載置された集合基板１１０を入れ、減圧パック装置２１を用いて、袋２０内を減圧して集合基板１１０を密封した後、袋２０の外部を大気開放状態にすることで、絶縁性樹脂１５０を集合基板１１０とともに均等に加圧しているが、斯かる方法に限定されるものではなく、絶縁性樹脂１５０を集合基板１１０とともに均等に加圧することができれば方法は問わない。例えば、変形可能な部材を介して金属平板等で絶縁性樹脂１５０を集合基板１１０とともに加圧しても良い。
【００３４】
また、本発明の実施の形態に係る電子部品モジュール１の製造方法では、集合基板１１０の両面に電子部品１２、１３を実装し、集合基板１１０の両面にシート状の絶縁性樹脂１５０を載置して、集合基板１１０の両面を絶縁性樹脂１５０にて封止し、集合基板１１０の両面に封止樹脂層１５を形成しているが、斯かる方法に限定されるものではなく、集合基板１１０の一方の面又は他方の面にのみ封止樹脂層１５を形成しても良い。さらに、集合基板１１０の両面に一括して封止樹脂層１５を形成する場合に限定されるものではなく、集合基板１１０を一面ずつ絶縁性樹脂１５０にて封止して封止樹脂層１５を形成しても良い。但し、本発明の実施の形態に係る電子部品モジュール１の製造方法のように、集合基板１１０の両面に電子部品１２、１３を実装し、集合基板１１０の両面にシート状の絶縁性樹脂１５０を載置して、集合基板１１０の両面を絶縁性樹脂１５０で一括して封止する方が、集合基板１１０の一面ずつ絶縁性樹脂１５０にて封止する場合に比べて製造工程を短縮でき、製造コストを安価にすることができる。
【符号の説明】
【００３５】
１  電子部品モジュール
１１  回路基板
１２、１３  電子部品
１４  導電性ポスト
１５  封止樹脂層
１６  金属導体層
１７  パッド電極
２０  袋
２１  減圧パック装置
２２  加熱シール装置
２３  オーブン
１１０  集合基板
１５０  絶縁性樹脂
【図１】
2012033885.tif 000003
【図２】
2012033885.tif 000004
【図３】
2012033885.tif 000005
【図４】
2012033885.tif 000006